(57)【要約】【課題】入力映像信号に含まれる黒帯領域をより短時間に検出することが可能な映像信号処理装置を提供する。【解決手段】計測部２２が、入力映像信号６であるＹＵＶ信号（Ｙin，Ｕin，Ｖin）のうちの計測領域６４Ａ，６４Ｂについて、画素ごとのしきい値Ｖｔ未満の信号レベルか否かの計測を、単位フレーム期間内に行うようにする。検出部２３は、この計測結果に基づいて入力映像信号６に含まれる黒帯領域を検出する。【選択図】図１
2007329700.tif 000002
【特許請求の範囲】
【請求項１】
入力映像信号のうちの指定された計測領域について、単位フレーム期間内に、設定されたしきい値未満の信号レベルか否かを画素ごとに計測する計測手段と、
前記計測手段の計測結果に基づいて、前記入力映像信号に含まれる黒帯領域を検出する黒帯検出手段と
を備えたことを特徴とする映像信号処理装置。
【請求項２】
前記しきい値を設定するしきい値設定手段を備えた
ことを特徴とする請求項１に記載の映像信号処理装置。
【請求項３】
前記黒帯検出手段は、前記計測領域の端辺から連続して存在するしきい値未満の画素の画素数を検出すると共に、この検出処理を前記表示領域の端辺に沿って行い、検出された画素数のうちの最小値をもって黒帯領域の幅と判定する
ことを特徴とする請求項１に記載の映像信号処理装置。
【請求項４】
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段とを備えた
ことを特徴とする請求項１に記載の映像信号処理装置。
【請求項５】
前記増減幅設定手段は、前回の増減幅の２分の１を新たな増減幅として設定し直し、
前記計測領域設定手段は、前記黒帯検出手段によって前記計測手段の計測結果から黒帯領域と映像領域との境界が検出されたか否かに応じて、前回の計測領域に対して前記新たな増減幅の加減算を行うことにより、新たな計測領域を設定し直し、
前記計測手段は、新たな計測領域について計測を行う
ことを特徴とする請求項４に記載の映像信号処理装置。
【請求項６】
前記計測手段は、前記計測領域における水平方向および垂直方向の２方向について並行して計測を行う
ことを特徴とする請求項４に記載の映像信号処理装置。
【請求項７】
前記計測領域設定手段は、計測領域における水平方向の両端位置および垂直方向の上端位置を前記基準領域における水平方向の両端位置および垂直方向の上端位置に設定する一方、その計測領域における下端位置の初期値を前記基準領域における上端位置から前記増減幅の初期値を加算した位置に設定すると共に、計測領域における下端位置に対して前記増減幅の加減算を逐次行うことによって新たな計測領域を設定し直し、
前記黒帯検出手段は、前記計測領域設定手段により設定された新たな計測領域についての計測結果に基づいて、前記入力映像信号に含まれる上端の黒帯領域を検出する
ことを特徴とする請求項６に記載の映像信号処理装置。
【請求項８】
前記計測領域設定手段は、計測領域における水平方向の両端位置および垂直方向の下端位置を前記基準領域における水平方向の両端位置および垂直方向の下端位置に設定する一方、その計測領域における上端位置の初期値を前記基準領域における下端位置から前記増減幅の初期値を減算した位置に設定すると共に、計測領域における上端位置に対して前記増減幅の加減算を逐次行うことによって新たな計測領域を設定し直し、
前記黒帯検出手段は、前記計測領域設定手段により設定された新たな計測領域についての計測結果に基づいて、前記入力映像信号に含まれる下端の黒帯領域を検出する
ことを特徴とする請求項６に記載の映像信号処理装置。
【請求項９】
前記計測領域設定手段は、計測領域における垂直方向の両端位置および水平方向の左端位置を前記基準領域における垂直方向の両端位置および水平方向の左端位置に設定する一方、その計測領域における右端位置の初期値を前記基準領域における左端位置から前記増減幅の初期値を加算した位置に設定すると共に、計測領域における右端位置に対して前記増減幅の加減算を逐次行うことによって新たな計測領域を設定し直し、
前記黒帯検出手段は、前記計測領域設定手段により設定された新たな計測領域についての計測結果に基づいて、前記入力映像信号に含まれる左端の黒帯領域を検出する
ことを特徴とする請求項６に記載の映像信号処理装置。
【請求項１０】
前記計測領域設定手段は、計測領域における垂直方向の両端位置および水平方向の右端位置を前記基準領域における垂直方向の両端位置および水平方向の右端位置に設定する一方、その計測領域における左端位置の初期値を前記基準領域における右端位置から前記増減幅の初期値を減算した位置に設定すると共に、計測領域における左端位置に対して前記増減幅の加減算を逐次行うことによって新たな計測領域を設定し直し、
前記黒帯検出手段は、前記計測領域設定手段により設定された新たな計測領域についての計測結果に基づいて、前記入力映像信号に含まれる右端の黒帯領域を検出する
ことを特徴とする請求項６に記載の映像信号処理装置。
【請求項１１】
前記黒帯検出手段の検出結果に基づいて前記入力映像信号の補正領域を設定すると共に、この設定された補正領域内の入力映像信号に対して所定の画像処理を行う画像処理手段を備えた
ことを特徴とする請求項１に記載の映像信号処理装置。
【請求項１２】
入力映像信号のうちの指定された計測領域について、設定されたしきい値未満の信号レベルか否かを画素ごとに計測する計測手段と、
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段と、
前記計測手段の計測結果に基づいて、前記入力映像信号に含まれる黒帯領域を検出する黒帯検出手段と
を備え、
前記増減幅設定手段は、前回の増減幅の２分の１を新たな増減幅として設定し直し、
前記計測領域設定手段は、前記黒帯検出手段によって前記計測手段の計測結果から黒帯領域と映像領域との境界が検出されたか否かに応じて、前回の計測領域に対して前記新たな増減幅の加減算を行うことにより、新たな計測領域を設定し直し、
前記計測手段は、新たな計測領域について計測を行う
ことを特徴とする映像信号処理装置。
【請求項１３】
前記黒帯検出手段は、前記計測領域の端辺から連続して存在するしきい値未満の画素の画素数を検出すると共に、この検出処理を前記表示領域の端辺に沿って行い、検出された画素数のうちの最小値をもって黒帯領域の幅と判定する
ことを特徴とする請求項１２に記載の映像信号処理装置。
【請求項１４】
前記計測手段は、前記計測領域における水平方向および垂直方向の２方向について並行して計測を行う
ことを特徴とする請求項１２に記載の映像信号処理装置。
【請求項１５】
前記黒帯検出手段の検出結果に基づいて前記入力映像信号の補正領域を設定すると共に、この設定された補正領域内の入力映像信号に対して所定の画像処理を行う画像処理手段を備えた
ことを特徴とする請求項１２に記載の映像信号処理装置。
【請求項１６】
入力映像信号のうちの指定された計測領域について、単位フレーム期間内に、設定されたしきい値未満の信号レベルか否かを画素ごとに計測する計測手段と、
前記計測手段の計測結果に基づいて、前記入力映像信号に含まれる黒帯領域を検出する黒帯検出手段と、
前記黒帯検出手段の検出結果を基に映像表示を行う表示手段と
を備えたことを特徴とする映像信号表示装置。
【請求項１７】
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段とを備え、
前記増減幅設定手段は、前回の増減幅の２分の１を新たな増減幅として設定し直し、
前記計測領域設定手段は、前記黒帯検出手段によって前記計測手段の計測結果から黒帯領域と映像領域との境界が検出されたか否かに応じて、前回の計測領域に対して前記新たな増減幅の加減算を行うことにより、新たな計測領域を設定し直し、
前記計測手段は、新たな計測領域について計測を行う
ことを特徴とする請求項１６に記載の映像表示装置。
【請求項１８】
前記黒帯検出手段の検出結果に基づいて前記入力映像信号の補正領域を設定すると共に、この設定された補正領域内の入力映像信号に対して所定の画像処理を行う画像処理手段を備え、
前記表示手段は、前記画像処理後の入力映像信号に基づいて映像表示を行う
ことを特徴とする請求項１６に記載の映像表示装置。
【請求項１９】
入力映像信号のうちの指定された計測領域について、設定されたしきい値未満の信号レベルか否かを画素ごとに計測する計測手段と、
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段と、
前記計測手段の計測結果に基づいて、前記入力映像信号に含まれる黒帯領域を検出する黒帯検出手段と、
前記黒帯検出手段の検出結果を基に映像表示を行う表示手段と
を備え、
前記増減幅設定手段は、前回の増減幅の２分の１を新たな増減幅として設定し直し、
前記計測領域設定手段は、前記黒帯検出手段によって前記計測手段の計測結果から黒帯領域と映像領域との境界が検出されたか否かに応じて、前回の計測領域に対して前記新たな増減幅の加減算を行うことにより、新たな計測領域を設定し直し、
前記計測手段は、新たな計測領域について計測を行う
ことを特徴とする映像表示装置。
【請求項２０】
前記黒帯検出手段の検出結果に基づいて前記入力映像信号の補正領域を設定すると共に、この設定された補正領域内の入力映像信号に対して所定の画像処理を行う画像処理手段を備え、
前記表示手段は、前記画像処理後の入力映像信号に基づいて映像表示を行う
ことを特徴とする請求項１９に記載の映像表示装置。
【請求項２１】
入力映像信号のうちの指定された計測領域について、単位フレーム期間内に、設定されたしきい値未満の信号レベルか否かを画素ごとに計測し、
計測結果に基づいて前記入力映像信号に含まれる黒帯領域を検出し、
前記黒帯領域の検出結果を基に映像表示を行う
ことを特徴とする映像表示方法。
【請求項２２】
計測の基準となる基準領域を設定し、
計測区間を増減する際の増減幅を設定し、
前記基準領域と前記増減幅とに基づいて前記計測領域を設定し、
前記増減幅を設定する際に、前回の増減幅の２分の１を新たな増減幅として設定し直し、
前記計測領域を設定する際に、前記計測結果から黒帯領域と映像領域との境界が検出されたか否かに応じて、前回の計測領域に対して前記新たな増減幅の加減算を行うことにより、新たな計測領域を設定し直し、
前記計測を行う際に、新たな計測領域について計測を行う
ことを特徴とする請求項２１に記載の映像表示方法。
【請求項２３】
前記黒帯領域の検出結果に基づいて前記入力映像信号の補正領域を設定すると共にこの設定された補正領域内の入力映像信号に対して所定の画像処理を行い、この画像処理後の入力映像信号に基づいて映像表示を行う
ことを特徴とする請求項２１に記載の映像表示方法。
【請求項２４】
入力映像信号のうちの指定された計測領域について、設定されたしきい値未満の信号レベルか否かを画素ごとに計測し、
計測の基準となる基準領域を設定し、
計測区間を増減する際の増減幅を設定し、
前記基準領域と前記増減幅とに基づいて前記計測領域を設定し、
計測結果に基づいて前記入力映像信号に含まれる黒帯領域を検出し、
前記黒帯領域の検出結果を基に映像表示を行うと共に、
前記増減幅を設定する際に、前回の増減幅の２分の１を新たな増減幅として設定し直し、
前記計測領域を設定する際に、前記計測結果から黒帯領域と映像領域との境界が検出されたか否かに応じて、前回の計測領域に対して前記新たな増減幅の加減算を行うことにより、新たな計測領域を設定し直し、
前記計測を行う際に、新たな計測領域について計測を行う
ことを特徴とする映像表示方法。
【請求項２５】
前記黒帯領域の検出結果に基づいて前記入力映像信号の補正領域を設定すると共にこの設定された補正領域内の入力映像信号に対して所定の画像処理を行い、この画像処理後の入力映像信号に基づいて映像表示を行う
ことを特徴とする請求項２４に記載の映像表示方法。
【発明の詳細な説明】
【技術分野】
【０００１】
本発明は、映像信号に含まれる黒帯領域の検出機能を有する映像信号処理装置および映像表示装置、ならびにそのような黒帯検出処理を行う映像表示方法に関する。
【背景技術】
【０００２】
通常、テレビジョン受像機（ＴＶ（TeleVision）装置）などの映像表示装置には、入力画像に画質補正を施す画像処理機能（例えば、明暗やコントラストの調整、輪郭補正などの機能）が備わっている。このような画像処理機能では、例えば入力映像信号の平均輝度（ＡＰＬ；Average Peak Level）や輝度レベルのヒストグラム分布を求めることによってなされ、いわゆる映像のつぶれや黒浮きを防止して階調性を向上させるため、効果的に適用されている。
【０００３】
ところで、シネマスコープサイズで収録されたＤＶＤ（Digital Versatile Disk）の映像信号や放送局から送られる映像信号の中には、映像領域の上下に黒帯領域を含むレターボックスと呼ばれる信号や、映像信号の左右に黒帯領域を含むサイドパネルと呼ばれる信号が存在する。このように黒帯領域を含む映像信号に対して上述したような画像処理を行った場合、本来の映像領域の内容とは無関係な黒帯領域も含めて行うこととなり、適切な画質補正がなされず、その効果が低減してしまうことになる。
【０００４】
そこで、このように入力映像信号に含まれる黒帯領域を効果的に検出するため、種々の方法が提案されている（例えば、特許文献１〜３）。
【０００５】
【特許文献１】特許第３４２９８４２号公報
【特許文献２】特開平０５−２７７３６号公報
【特許文献３】特開２００５−２０３９３３号公報
【発明の開示】
【発明が解決しようとする課題】
【０００６】
しかしながら、上記特許文献１〜３に示された検出方法では、１フレームごとに１ラインずつ黒帯領域の有無を判断して検出しているため、黒帯領域全体を検出するのに非常に時間がかかってしまうという問題があった。よって、例えばシーンチェンジの場合などには途中で検出処理がふりだしに戻ってしまい、いつまでも検出できなくなるおそれがあった。近年では、例えばフルＨＤ（High Definition）規格のＴＶ装置のように、映像表示装置の解像度が高くなってきているため、短時間に適切な黒帯検出処理を行うことは非常に重要である。
【０００７】
本発明はかかる問題点に鑑みてなされたもので、その目的は、入力映像信号に含まれる黒帯領域をより短時間に検出することが可能な映像信号処理装置、映像表示装置および映像表示方法を提供することにある。
【課題を解決するための手段】
【０００８】
本発明の第１の映像信号処理装置は、入力映像信号のうちの指定された計測領域について、単位フレーム期間内に、設定されたしきい値未満の信号レベルか否かを画素ごとに計測する計測手段と、この計測手段の計測結果に基づいて入力映像信号に含まれる黒帯領域を検出する検出手段とを備えたものである。
【０００９】
この場合において、上記黒帯検出手段を、計測領域の端辺から連続して存在するしきい値未満の画素の画素数を検出すると共にこの検出処理を表示領域の端辺に沿って行い、検出された画素数のうちの最小値をもって黒帯領域の幅と判定するように構成可能である。
【００１０】
なお、「単位フレーム」とは、一もしくは数個の映像フレーム、または一もしくは数個の映像フィールドを意味するものである。
【００１１】
本発明の第１の映像表示装置は、上記第１の映像信号処理装置における計測手段および黒帯検出手段に加え、この黒帯検出手段の検出結果を基に映像表示を行う表示手段を備えたものである。
【００１２】
本発明の第１の映像表示方法は、入力映像信号のうちの指定された計測領域について、単位フレーム期間内に、設定されたしきい値未満の信号レベルか否かを画素ごとに計測し、
この計測結果に基づいて入力映像信号に含まれる黒帯領域を検出し、この黒帯領域の検出結果を基に映像表示を行うようにしたものである。
【００１３】
本発明の第１の映像信号処理装置、第１の映像表示装置および第１の映像表示方法では、入力映像信号のうちの計測領域について、画素ごとのしきい値未満の信号レベルか否かの計測が単位フレーム期間内になされ、この計測結果に基づいて入力映像信号に含まれる黒帯領域が検出される。
【００１４】
また、本発明の第２の映像信号処理装置は、入力映像信号のうちの指定された計測領域について、設定されたしきい値未満の信号レベルか否かを画素ごとに計測する計測手段と、この計測の基準となる基準領域を設定する基準領域設定手段と、計測区間を増減する際の増減幅を設定する増減幅設定手段と、上記基準領域と増減幅とに基づいて計測領域を設定する計測領域設定手段と、上記計測手段の計測結果に基づいて入力映像信号に含まれる黒帯領域を検出する黒帯検出手段とを備え、上記増減幅設定手段が前回の増減幅の２分の１を新たな増減幅として設定し直し、上記計測領域設定手段が、黒帯検出手段によって計測手段の計測結果から黒帯領域と映像領域との境界が検出されたか否かに応じて前回の計測領域に対して上記新たな増減幅の加減算を行うことにより新たな計測領域を設定し直し、上記計測手段が新たな計測領域について計測を行うようにしたものである。
【００１５】
本発明の第２の映像表示装置は、上記第２の映像信号処理装置における計測手段および黒帯検出手段に加え、この黒帯検出手段の検出結果を基に映像表示を行う表示手段を備えたものである。
【００１６】
本発明の第２の映像表示方法は、入力映像信号のうちの指定された計測領域について設定されたしきい値未満の信号レベルか否かを画素ごとに計測し、この計測の基準となる基準領域を設定し、計測区間を増減する際の増減幅を設定し、上記基準領域と増減幅とに基づいて計測領域を設定し、計測結果に基づいて入力映像信号に含まれる黒帯領域を検出し、この黒帯領域の検出結果を基に映像表示を行うと共に、上記増減幅を設定する際に前回の増減幅の２分の１を新たな増減幅として設定し直し、上記計測領域を設定する際に、計測結果から黒帯領域と映像領域との境界が検出されたか否かに応じて前回の計測領域に対して上記新たな増減幅の加減算を行うことにより新たな計測領域を設定し直し、上記計測を行う際に新たな計測領域について計測を行うようにしたものである。
【００１７】
本発明の第２の映像信号処理装置、第２の映像表示装置および第２の映像表示方法では、入力映像信号のうちの計測領域について、画素ごとにしきい値未満の信号レベルか否かの計測がなされ、この計測結果に基づいて入力映像信号に含まれる黒帯領域が検出される。この際、計測の基準となる基準領域およびこの計測区間を増減する際の増減幅が設定され、これら基準領域および増減幅に基づいて上記計測領域が設定される。また、計測結果から黒帯領域と映像領域との境界が検出されたか否かに応じて、前回の増減幅の２分の１のものが新たな増減幅として前回の計測領域に加減算され、新たな計測領域が設定される。そして上記計測を行う際には、この新たな計測領域について計測がなされる。
【発明の効果】
【００１８】
本発明の第１の映像信号処理装置、第１の映像表示装置または第１の映像表示方法によれば、入力映像信号のうちの計測領域について、画素ごとのしきい値未満の信号レベルか否かの計測を単位フレーム期間内に行うようにすると共にこの計測結果に基づいて黒帯領域を検出するようにしたので、従来と比べ、入力映像信号に含まれる黒帯領域をより短時間に検出することが可能となる。
【００１９】
また、本発明の第２の映像信号処理装置、第２の映像表示装置または第２の映像表示方法によれば、画素ごとになされるしきい値未満の信号レベルか否かの計測結果から黒帯領域と映像領域との境界を検出すると共に検出されたか否かに応じて前回の増減幅の２分の１のものを新たな増減幅として前回の計測領域に加減算して新たな計測領域を設定し、この新たな計測領域について逐次計測を行うと共にその計測結果に基づいて黒帯領域を検出するようにしたので、従来と比べ、入力映像信号に含まれる黒帯領域をより短時間に検出することが可能となる。
【発明を実施するための最良の形態】
【００２０】
以下、本発明の実施の形態について、図面を参照して詳細に説明する。
【００２１】
図１は、本発明の一実施の形態に係る映像表示装置の全体構成を表すものである。この映像表示装置は、チューナ１１、Ｙ／Ｃ分離回路１２、クロマデコーダ１３、スイッチ１４、黒帯検出部２、画像処理部３、マトリクス回路４１、ドライバ４２および表示部５を備えている。なお、本発明の一実施の形態に係る映像信号処理装置および映像表示方法は、本実施の形態に係る映像表示装置によって具現化されるので、以下、併せて説明する。
【００２２】
この画像表示装置へ入力される画像信号は、ＴＶからのテレビ信号のほか、ＶＣＲ（Video Cassette Recorder）やＤＶＤ等の出力であってよい。このように複数種の媒体から画像情報を取り込み、各自について画面表示を行うことは、近年のテレビジョンやパーソナルコンピュータ（ＰＣ）においては一般的になってきている。
【００２３】
チューナ１１は、ＴＶからのテレビ信号を受信すると共に復調し、コンポジット信号（ＣＶＢＳ；Composite Video Burst Signal）として出力するものである。
【００２４】
Ｙ／Ｃ分離回路１２は、チューナ１１からのコンポジット信号、またはＶＣＲやＤＶＤ１からのコンポジット信号をそれぞれ、輝度信号Ｙ１と色信号Ｃ１とに分離して出力するものである。
【００２５】
クロマデコーダ１３は、Ｙ／Ｃ分離回路１２によって分離された輝度信号Ｙ１および色信号Ｃ１を、輝度信号Ｙ１および色差信号Ｕ１，Ｖ１からなるＹＵＶ信号（Ｙ１，Ｕ１，Ｖ１）として出力するものである。
【００２６】
なお、このＹＵＶ信号は、２次元ディジタル画像の画像データであり、画像上の位置に対応する画素値の集合である。そのうち、輝度信号Ｙは輝度レベルを表現し、白１００％である白レベルと、黒１００％である黒レベルとの間の振幅値をとるようになっている。また、画像信号の白１００％は、ＩＲＥ（Institute of Radio Engineers）という画像信号の相対的な比を表す単位において、１００（ＩＲＥ）と定められている。日本のＮＴＳＣ（National Television Standards Committee）信号の規格では、白レベルが１００ＩＲＥ，黒レベルが０ＩＲＥである。一方、色差信号Ｕ，Ｖはそれぞれ、青（Ｂ；Blue）から輝度信号Ｙを引いた信号Ｂ−Ｙ、赤（Ｒ；Red）から輝度信号Ｙを引いた信号Ｒ−Ｙに対応しており、これらＵ信号，Ｖ信号を輝度信号Ｙと組み合わせることによって、色（色相，彩度，輝度）が表現されるようになっている。
【００２７】
スイッチ１４は、複数種の媒体からのＹＵＶ信号（ここではＹＵＶ信号（Ｙ１，Ｕ１，Ｖ１）、およびＤＶＤ２からのＹＵＶ信号（Ｙ２，Ｕ２，Ｖ２））を切り換えることにより、選択した信号をＹＵＶ信号（Ｙin，Ｕin，Ｖin）として出力するものである。
【００２８】
黒帯検出部２は、入力映像信号であるＹＵＶ信号（Ｙin，Ｕin，Ｖin）に含まれる黒帯領域を検出するものであり、具体的には輝度信号Ｙinに基づいて黒帯領域を検出し、検出結果Ｋoutを後述する画像処理部３へ出力するものである。この黒帯検出部２は、信号種別判別部２１と、計測部２２と、検出部２３とを有している。
【００２９】
図２は、この黒帯検出部２の詳細構成を表したものである。
【００３０】
信号種別判別部２１は、入力映像信号の種別を判別するものであり、具体的には、例えばＮＴＳＣの４８０ｉ信号や、ＰＡＬ（Phase Alternating Line）の５７６ｉ信号などの種別が判別されるようになっている。
【００３１】
計測部２２は、信号レベル比較部２２１と、計測結果出力部２２２とを有しており、入力映像信号のうちの指令された計測領域について、単位フレーム期間内に所定の計測を行うものである。具体的には、この計測領域内で画素ごとに、輝度信号Ｙinに基づいて設定されたしきい値Ｖｔ未満の信号レベルか否かを計測するようになっている。
【００３２】
図３（Ａ），（Ｂ）は、入力映像信号６に黒帯領域が含まれる場合の各領域を模式的に表したものである。図３（Ａ）は、映像信号６２の上下に黒帯領域６１Ａ，６１Ｂが設けられたものであり、例えばシネマスコープサイズの映像信号などが該当する。また、黒帯領域６１Ａ内にはＯＳＤ（On Screen Display）６３Ａが挿入され、黒帯領域６１Ｂ内には字幕６３Ｂが挿入されている。また、これら映像領域６２および黒帯領域６１Ａ，６１Ｂの周囲には、ブランキング領域が設けられている。一方、図３（Ｂ）は、映像信号６６の左右に黒帯領域６５Ａ，６５Ｂが設けられたものであり、例えばサイドパネルの映像信号などが該当する。また、これら映像領域６５および黒帯領域６１Ａ，６１Ｂの周囲にも、ブランキング領域６０が設けられている。なお、ＯＳＤや字幕は黒帯領域に挿入されている場合と挿入されていない場合があり、挿入されている場合においても、上下または左右の黒帯領域のどちらか一方または両方に挿入される場合がある。
【００３３】
信号レベル比較部２２１は、例えば図４（Ａ）に示したように入力映像信号６のうちの指令された計測領域６４Ａについて、単位フレーム期間内に、各画素の輝度信号Ｙinと設定されたしきい値Ｖｔとの間の信号レベルの大小を比較し、しきい値Ｖｔ以上の信号レベルの画素位置を出力するものである。このしきい値Ｖｔは、例えば映像領域６２の画素位置が出力されてブランキング領域６０および黒帯領域６１Ａ，６１Ｂの画素位置が出力されないように設定される。
【００３４】
また、計測結果出力部２２２は、信号レベル比較部２２１から出力されるしきい値Ｖｔ以上の画素位置に基づいて、図４（Ａ）に示したような、計測領域６４Ａ内での水平バックポーチ長Ｈｂｐ、水平フロントポーチ長Ｈｆｐ、垂直バックポーチ長Ｖｂｐおよび垂直フロントポーチ長Ｖｆｐをそれぞれ求めて出力するものである。なお、図４（Ａ）中の計測領域６４Ａは、黒帯検出する際の基準となる基準領域の場合のものを表しているが、例えば図４（Ｂ）に示した計測領域６４Ｂのように、計測領域の区間は任意に設定可能である。この計測領域の区間の増減については、後述する。
【００３５】
検出部２３は、計測部２２による水平バックポーチ長Ｈｂｐ、水平フロントポーチ長Ｈｆｐ、垂直バックポーチ長Ｖｂｐおよび垂直フロントポーチ長Ｖｆｐの計測結果、ならびに信号種別判別部２１による信号種別判別結果Ｓoutに基づいて、実際に入力映像信号６に含まれる黒帯領域を検出するものである。この検出部２３は、黒帯判定部２３０と、基準領域設定部２３１と、増減幅初期値設定部２３２と、増減幅設定部２３３と、境界判定部２３４と、再検出回数設定部２３５と、下限値設定部２３６と、検出判定部２３７と、計測領域設定部２３８と、しきい値設定部２３９とを有している。
【００３６】
黒帯判定部２３０は、計測部２２による水平バックポーチ長Ｈｂｐ、水平フロントポーチ長Ｈｆｐ、垂直バックポーチ長Ｖｂｐおよび垂直フロントポーチ長Ｖｆｐの計測結果Ｍoutが、黒帯領域によるものであるか否かを判断するものである。
【００３７】
基準領域設定部２３１は、黒帯検出する際の基準となる基準領域を設定するものであり、信号種別判別部２１による信号種別判別結果Ｓoutに応じて、例えば図５に示した入力映像信号６中の基準領域６４Ａのように設定される。また、増減幅初期値設定部２３２は、計測部２２による計測区間を変化させる際の変化量（増減幅）の初期値を設定する部分である。この増減幅は、例えば図５に示したように計測領域６４Ａから計測領域６４Ｂへと垂直方向に計測区間を変化させる場合、増減幅６４Ｖのように表され、水平方向の場合も同様にして表される。また、増減幅初期値設定部２３２は、信号種別判別部２１による信号種別判別結果Ｓoutに応じて、増減幅の初期値を２のべき乗（２ｎ（ｎ：自然数））の値に設定するようになっている。具体的には、例えば入力映像信号６がＮＴＳＣの５２５ｉ信号の場合には増減幅の初期値を６４に設定し、入力映像信号６がプログレッシブ信号に変換された５２５ｐ信号の場合には増減幅の初期値を１２８に設定するようになっている。
【００３８】
増減幅設定部２３３は、増減幅初期値設定部２３２によって設定された増減幅の初期値および黒帯判定部２３０による判定結果に基づいて、計測区間の増減幅を設定するものである。具体的には、この増減幅の絶対値は、増減幅初期値設定部２３２によって設定された初期値から始まり、１単位フレームの計測ごとに前回の増減幅の１／２を新たな増減幅として設定し直すようになっている。また、この増減幅の絶対値を現在の計測区間に対して加算するのかまたは減算するのかは、後述する黒帯判定部２３０による判定結果に応じて決定されるようになっている。
【００３９】
境界判定部２３４は、黒帯判定部２３０による判定結果および増減幅設定部２３３によって設定された計測区間の増減幅に基づいて、黒帯領域６１Ａ，６１Ｂ，６５Ａ，６５Ｂと映像領域６２，６６との境界を判定するものである。
【００４０】
再検出回数設定部２３５は、後述する検出判定部２３７において黒帯領域を最終的に特定する際の再検出回数を設定するものである。この再検出回数は、０以上の整数で表される。また、下限値設定部２３６は、信号種別判別部２１による信号種別判別結果Ｓoutに応じて、境界判定部２３４によって判定された黒帯領域の境界から算出された映像領域６２の水平幅または垂直幅の下限値を設定するものである。映像領域の垂直幅の場合、例えば図６に示した垂直幅６２Ｖのように表され、これに下限値を設定することにより、暗いシーン等での誤検出（図６では、入力映像信号６中に黒帯領域が存在せず、映像信号６２による暗いシーン等が表されている場合を示している）を防止するようになっている。
【００４１】
検出判定部２３７は、境界判定部２３４による黒帯領域の境界判定結果、再検出回数設定部２３５により設定された再検出回数および下限値設定部２３６により設定された映像領域幅の下限値に基づいて、入力映像信号６に含まれる黒帯領域を最終判定し、確定した黒帯検出結果Ｋoutを画像処理部３へ出力するものである。
【００４２】
計測領域設定部２３８は、増減幅設定部２３３によって設定された計測区間の増減幅に基づいて計測部２２での計測領域を設定し、逐次信号レベル比較部２２１へ出力するものである。また、しきい値設定部２３９は、計測部２２での計測の際に用いられる信号レベルのしきい値Ｖｔを設定し、そのしきい値Ｖｔを信号レベル比較部２２１へ出力するものである。なお、前述のように計測領域内においてしきい値Ｖｔ未満の信号レベルの領域が、黒帯領域となりうる。
【００４３】
図１の説明に戻り、画像処理部３は、黒帯検出部２による黒帯検出結果Ｋout、およびこの黒帯検出部２内の信号種別判別部２１による入力映像信号の種別判別結果Ｓoutに基づいて、入力映像信号であるＹＵＶ信号（Ｙin，Ｕin，Ｖin）に対して画像処理を行うものである。具体的には、入力映像信号のアスペクト比を保ちつつ、その入力映像信号を拡大または縮小する処理（アスペクト比調整処理）を行うようになっており、表示部５の表示サイズ（画素数）、黒帯検出結果Ｋoutおよび種別判別結果Ｓoutに基づいて入力映像信号の拡大または縮小の比率を演算する演算部３１と、この演算部３１による演算結果Ｃout（拡大縮小比率）に基づいて入力映像信号であるＹＵＶ信号（Ｙin，Ｕin，Ｖin）の拡大または縮小を行う拡大縮小部３２と、この拡大縮小部３２によって黒帯領域内の字幕が欠落しないように拡大または縮小された映像信号に対して位置調整を行う位置調整部３３とを有している。
【００４４】
マトリクス回路４１は、画像処理部３によって画像処理（アスペクト比調整処理）後のＹＵＶ信号（Ｙout，Ｕout，Ｖout）をＲＧＢ信号に再生すると共に、この再生されたＲＧＢ信号（Ｒout，Ｇout，Ｂout）をドライバ４２へ出力するものである。
【００４５】
ドライバ４２は、マトリクス回路４１から出力されるＲＧＢ信号（Ｒout，Ｇout，Ｂout）に基づいてディスプレイ５に対する駆動信号を生成し、この駆動信号をディスプレイ５へ出力するものである。
【００４６】
表示部５は、ドライバ４２から出力される駆動信号に応じて、画像処理部３によって画像処理（アスペクト比調整処理）後のＹＵＶ信号（Ｙout，Ｕout，Ｖout）に基づく映像表示を行うものである。この表示部５はどのような種類の表示デバイスであってもよく、例えばＣＲＴ（Cathode-Ray Tube）や、ＬＣＤ（Liquid Crystal Display）、ＰＤＰ（Plasma Display Panel）、有機または無機のＥＬ（ElectroLuminescence）ディスプレイ等が用いられる。
【００４７】
次に、本実施の形態の映像表示装置の動作について説明する。最初に、この映像表示装置の基本動作について説明する。
【００４８】
まず、この映像表示装置へ入力される映像信号が、ＹＵＶ信号に復調される。具体的には、ＴＶからのテレビ信号は、チューナ１１で復調されてコンポジット信号となり、ＶＣＲやＤＶＤ１からは、コンポジット信号が直接、映像表示装置へ入力される。そしてこれらコンポジット信号は、Ｙ／Ｃ分離回路１２において、輝度信号Ｙ１と色信号Ｃ１とに分離され、クロマデコーダ１３において、ＹＵＶ信号（Ｙ１，Ｕ１，Ｖ１）にデコードされる。一方、ＤＶＤ２からは、ＹＵＶ信号（Ｙ２，Ｕ２，Ｖ２）が直接、映像表示装置へ入力される。
【００４９】
次いで、スイッチ１４において、これらＹＵＶ信号（Ｙ１，Ｕ１，Ｖ１）とＹＵＶ信号（Ｙ２，Ｕ２，Ｖ２）とのうち、一方のＹＵＶ信号が選択され、ＹＵＶ信号（Ｙin，Ｕin，Ｖin）として出力される。そして、このＹＵＶ信号（Ｙin，Ｕin，Ｖin）のうち、輝度信号Ｙinは、黒帯検出部２内の信号種別判別部２１および計測部２２、ならびに画像処理部３内の拡大縮小部３２へそれぞれ出力され、色差信号Ｕin，Ｖinは、それぞれこの画像処理部３内の拡大縮小部３２へ出力される。
【００５０】
ここで、黒帯検出部２では、入力映像信号であるＹＵＶ信号（Ｙin，Ｕin，Ｖin）に含まれる黒帯領域が検出される。具体的には、輝度信号Ｙinに基づいて黒帯領域が検出され、検出結果Ｋoutが画像処理部３へ出力される。より具体的には、計測部２２において、入力映像信号のうちの指令された計測領域について、単位フレーム期間内に画素ごとに、輝度信号Ｙinがしきい値Ｖｔ未満の信号レベルか否かが計測され、検出部２３において、計測部２２による水平バックポーチ長Ｈｂｐ、水平フロントポーチ長Ｈｆｐ、垂直バックポーチ長Ｖｂｐおよび垂直フロントポーチ長Ｖｆｐの計測結果、ならびに信号種別判別部２１による信号種別判別結果Ｓoutに基づいて、入力映像信号６に含まれる黒帯領域が検出され、その黒帯検出結果Ｋoutが画像処理部へ出力される。
【００５１】
また、画像処理部３では、黒帯検出部２による黒帯検出結果Ｋout、および信号種別判別部２１による入力映像信号の種別判別結果Ｓoutに基づいて、入力映像信号であるＹＵＶ信号（Ｙin，Ｕin，Ｖin）に対して画像処理、具体的には入力映像信号のアスペクト比を保ちつつその入力映像信号を拡大または縮小する処理（アスペクト比調整処理）がなされる。
【００５２】
次いで、マトリクス回路４１では、画像処理部３によって画像処理（アスペクト比調整処理）後のＹＵＶ信号（Ｙout，Ｕout，Ｖout）がＲＧＢ信号（Ｒout，Ｇout，Ｂout）に再生され、ドライバ４２では、このＲＧＢ信号（Ｒout，Ｇout，Ｂout）に基づいて駆動信号が生成され、この駆動信号に基づいて、表示部５に映像が表示される。
【００５３】
次に、図７〜図１０を参照して、本発明の特徴的部分の１つである、計測部２２による計測処理の詳細について説明する。
【００５４】
図７〜図１０はそれぞれ、計測部２２による水平バックポーチ長Ｈｂｐ、水平フロントポーチ長Ｈｆｐ、垂直バックポーチ長Ｖｂｐおよび垂直フロントポーチ長Ｖｆｐの計測方法の一例を、タイミング図で表したものである。これらの図において、Ｈｓｙｎｃは水平同期信号を、Ｖｓｙｎｃは垂直同期信号を、Ｃｌｏｃｋは画素ごとの周期に対応したクロック（ドットクロック）信号を、Ｈ_actは水平方向におけるしきい値Ｖｔ以上の信号レベルの画素位置に対応する水平アクティブ信号を、Ｖ_actは各１水平期間において１画素でも水平アクティブ信号Ｈ_actが「Ｈ」レベルとなった場合にアクティブとなる垂直アクティブ信号を、Ｈbp_cntは水平バックポーチ用カウンタ出力を、Ｈfp_cntは水平フロントポーチ用カウンタ出力を、Ｖbp_cntは垂直バックポーチ用カウンタ出力を、Ｖfp_cntは垂直フロントポーチ用カウンタ出力を、Ｈbp_latは１水平期間前の水平バックポーチ用カウンタ出力Ｈbp_cntの確定値をラッチ（保持）したものに対応する水平バックポーチ用ラッチ出力を、Ｈfp_latは１水平期間前の水平フロントポーチ用カウンタ出力Ｈfp_cntの確定値をラッチしたものに対応する水平フロントポーチ用ラッチ出力を、Ｈbp_outは最終的に水平バックポーチ長Ｈｂｐの確定値として出力される水平バックポーチ長出力を、Ｈfp_outは最終的に水平フロントポーチ長Ｈｆｐの確定値として出力される水平フロントポーチ長出力を、Ｖbp_outは１垂直期間前の垂直バックポーチ用カウンタ出力Ｖbp_cntの確定値をラッチしたものに対応すると共に最終的に垂直バックポーチ長Ｖｂｐの確定値として出力される垂直バックポーチ長出力を、Ｖfp_outは１垂直期間前の垂直フロントポーチ用カウンタ出力Ｖfp_cntの確定値をラッチしたものに対応すると共に最終的に垂直フロントポーチ長Ｖｆｐの確定値として出力される垂直フロントポーチ長出力を、それぞれ表している。また、輝度信号Ｙin中に示した「＜」はしきい値Ｖｔ未満の信号レベルであることを表し、「＞」はしきい値以上の信号レベルであることを表している。
【００５５】
まず、図７に示した水平バックポーチ長Ｈｂｐの測定については、以下のようにして行われる。
【００５６】
タイミングｔ０において水平同期信号Ｈｓｙｎｃ（図７（Ｂ））が「Ｈ」レベルになると、その立ち上がりエッジにおいて、水平バックポーチ用カウンタ出力Ｈbp_cnt（図７（Ｆ））がリセットとなり、「０」が出力される。そしてこのタイミングｔ０以降は、クロック信号Ｃｌｏｃｋ（図７（Ｃ））の立ち上がりエッジ（タイミングｔ１，ｔ２，…）において、水平バックポーチ用カウンタ出力Ｈbp_cntの値が１ずつ増加していく。
【００５７】
次に、タイミングｔ４において輝度信号Ｙin（図７（Ｄ））がしきい値Ｖｔ以上の信号レベルとなると、クロック信号Ｃｌｏｃｋの次の立ち上がりエッジであるタイミングｔ５において、水平アクティブ信号Ｈ_act（図７（Ｅ））が「Ｈ」レベルとなる。すると、この水平アクティブ信号Ｈ_actが「Ｈ」レベルの間（タイミングｔ５〜ｔ７）、水平バックポーチ用カウンタ出力Ｈbp_cntの値が固定となる（図７では、「４」に固定されている）。このときの水平バックポーチ用カウンタ出力Ｈbp_cntの値がその水平期間における確定値となり、水平バックポーチ用ラッチ出力Ｈbp_lat（図７（Ｇ））として更新され、保持される。また、このとき、１水平期間前（更新前）の水平バックポーチ用ラッチ出力Ｈbp_latの値（図７では、「６」となっている）と、これまでの測定における水平バックポーチ長Ｈｂｐの最小値に対応する水平バックポーチ長出力Ｈbp_out（図７（Ｈ））の値（図７では、「１０」となっている）との大小が比較され、小さいほうの値が新たな水平バックポーチ長出力Ｈbp_outとして更新される（図７では、「１０」から「６」に更新されている）。
【００５８】
次に、タイミングｔ６において輝度信号Ｙinが再びしきい値Ｖｔ未満の信号レベルとなると、クロック信号Ｃｌｏｃｋの次の立ち上がりエッジであるタイミングｔ７において、水平アクティブ信号Ｈ_actが「Ｌ」レベルへと戻り、水平バックポーチ用カウンタ出力Ｈbp_cntの値が再び１ずつ増加していく。そしてタイミングｔ８において水平同期信号Ｈｓｙｎｃが「Ｈ」レベルとなることで、１水平期間の計測が終了となる。
【００５９】
このような１水平期間の計測が単位フレーム期間にわたって行われることで、この単位フレーム期間内の短時間において、計測領域６４Ａ，６４Ｂの左端から連続して存在するしきい値Ｖｔ未満の画素数の最小値に対応する水平バックポーチ長Ｈｂｐが、計測部２２から出力される。
【００６０】
また、図８に示した水平フロントポーチ長Ｈｆｐの測定については、基本的には水平バックポーチ長Ｈｂｐの測定と同様に、以下のようにして行われる。
【００６１】
まず、タイミングｔ１０において水平同期信号Ｈｓｙｎｃ（図８（Ｂ））が「Ｈ」レベルになり、タイミングｔ１１において輝度信号Ｙin（図８（Ｄ））がしきい値Ｖｔ以上の信号レベルとなると、クロック信号Ｃｌｏｃｋ（図８（Ｃ））の次の立ち上がりエッジであるタイミングｔ１２において、水平アクティブ信号Ｈ_act（図８（Ｅ））が「Ｈ」レベルとなる。すると、この水平アクティブ信号Ｈ_actが「Ｈ」レベルの間（タイミングｔ１２〜ｔ１４）、水平フロントポーチ用カウンタ出力Ｈfp_cnt（図８（Ｆ））がリセットとなり、「０」が出力される。
【００６２】
次に、タイミングｔ１３において輝度信号Ｙinが再びしきい値Ｖｔ未満の信号レベルとなると、クロック信号Ｃｌｏｃｋの次の立ち上がりエッジであるタイミングｔ１４において、水平アクティブ信号Ｈ_actが「Ｌ」レベルへ戻る。すると、このタイミングｔ１４以降（タイミングｔ１４，ｔ１５，…）、水平フロントポーチ用カウンタ出力Ｈfp_cntの値が１ずつ増加していくようになる。
【００６３】
次に、タイミングｔ１８において水平同期信号Ｈｓｙｎｃが再び「Ｈ」レベルになると、このときの水平フロントポーチ用カウンタ出力Ｈfp_cntの値がその水平期間における確定値となり、水平フロントポーチ用ラッチ出力Ｈfp_lat（図８（Ｇ））として更新され、保持される。またこのとき、１水平期間前（更新前）の水平フロントポーチ用ラッチ出力Ｈbp_latの値（図８では、「６」となっている）と、これまでの測定における水平フロントポーチ長Ｈｆｐの最小値に対応する水平フロントポーチ長出力Ｈfp_out（図８（Ｈ））の値（図８では、「１０」となっている）との大小が比較され、小さいほうの値が新たな水平フロントポーチ長出力Ｈfp_outとして更新される（図８では、「１０」から「６」に更新されている）。以上で、１水平期間の計測が終了となる。
【００６４】
このような１水平期間の計測が単位フレーム期間にわたって行われることで、この単位フレーム期間内の短時間において、計測領域６４Ａ，６４Ｂの右端から連続して存在するしきい値Ｖｔ未満の画素数の最小値に対応する水平フロントポーチ長Ｈｆｐが、計測部２２から出力される。
【００６５】
また、図９に示した垂直バックポーチ長Ｖｂｐの測定については、以下のようにして行われる。
【００６６】
タイミングｔ２０において垂直同期信号Ｖｓｙｎｃ（図９（Ａ））が「Ｈ」レベルになると、その立ち上がりエッジにおいて、垂直バックポーチ用カウンタ出力Ｖbp_cnt（図９（Ｅ））がリセットとなり、「０」が出力される。そしてこのタイミングｔ２０以降は、水平同期信号Ｈｓｙｎｃ（図９（Ｂ））の立ち上がりエッジ（タイミングｔ２１，ｔ２２，…）において、垂直バックポーチ用カウンタ出力Ｖbp_cntの値が１ずつ増加していく。
【００６７】
次に、タイミングｔ２２〜ｔ２５の１水平期間内のタイミングｔ２３〜ｔ２４において、輝度信号Ｙinがしきい値Ｖｔ以上の信号レベルとなって水平アクティブ信号Ｈ_act（図９（Ｃ））が「Ｈ」レベルとなると、水平同期信号Ｈｓｙｎｃの次の立ち上がりエッジであるタイミングｔ２５において、垂直アクティブ信号Ｖ_act（図９（Ｄ））が「Ｈ」レベルになる。すると、この垂直アクティブ信号Ｖ_actが「Ｈ」レベルの間（タイミングｔ２５〜ｔ２８）、すなわち水平アクティブ信号Ｈ_actが１水平期間中に「Ｈ」レベルとなる期間があるうちは、垂直バックポーチ用カウンタ出力Ｖbp_cntの値が固定となる（図９では、「２」に固定されている）。また、このときの垂直バックポーチ用カウンタ出力Ｖbp_cntの値がその垂直期間における確定値となり、垂直バックポーチ長出力Ｖbp_out（図９（Ｆ））として更新され、保持される。
【００６８】
次に、タイミングｔ２７〜ｔ２８の１水平期間内で水平アクティブ信号Ｈ_actが「Ｌ」レベルに固定されていると、水平同期信号Ｈｓｙｎｃの次の立ち上がりエッジであるタイミングｔ２８において、垂直アクティブ信号Ｖ_actが「Ｌ」レベルへと戻り、垂直バックポーチ用カウンタ出力Ｖbp_cntの値が再び１ずつ増加していく。そしてタイミングｔ２９において垂直同期信号Ｖｓｙｎｃが「Ｈ」レベルとなることで、１垂直期間の計測が終了となる。
【００６９】
このような１垂直期間の計測が単位フレーム期間（単位フレーム期間が１垂直期間の場合には、１垂直期間のみの測定）にわたって行われることで、この単位フレーム期間内の短時間において、計測領域６４Ａ，６４Ｂの上端から連続して存在するしきい値Ｖｔ未満の画素数の最小値に対応する垂直バックポーチ長Ｖｂｐが、計測部２２から出力される。
【００７０】
また、図１０に示した垂直フロントポーチ長Ｖｆｐの測定については、基本的には垂直バックポーチ長Ｖｂｐの測定と同様に、以下のようにして行われる。
【００７１】
まず、タイミングｔ３０において垂直同期信号Ｖｓｙｎｃ（図１０（Ａ））が「Ｈ」レベルになり、タイミングｔ３１〜ｔ３２において輝度信号Ｙinがしきい値Ｖｔ以上の信号レベルとなって水平アクティブ信号Ｈ_act（図１０（Ｃ））が「Ｈ」レベルになると、水平同期信号Ｈｓｙｎｃ（図１０（Ｂ））の次の立ち上がりエッジであるタイミングｔ３３において、垂直アクティブ信号Ｖ_act（図１０（Ｄ））が「Ｈ」レベルとなる。すると、この垂直アクティブ信号Ｖ_actが「Ｈ」レベルの間（タイミングｔ３３〜ｔ３５）、垂直フロントポーチ用カウンタ出力Ｖfp_cnt（図１０（Ｅ））がリセットとなり、「０」が出力される。
【００７２】
次に、タイミングｔ３４〜ｔ３５の１水平期間内で水平アクティブ信号Ｈ_actが「Ｌ」レベルに固定されていると、水平同期信号Ｈｓｙｎｃの次の立ち上がりエッジであるタイミングｔ３５において、垂直アクティブ信号Ｈ_actが「Ｌ」レベルへ戻る。すると、このタイミングｔ３５以降（タイミングｔ３５，ｔ３６，…）、垂直フロントポーチ用カウンタ出力Ｖfp_cntの値が１ずつ増加していくようになる。
【００７３】
次に、タイミングｔ３８において垂直同期信号Ｖｓｙｎｃが再び「Ｈ」レベルになると、このときの垂直フロントポーチ用カウンタ出力Ｖfp_cntの値がその垂直期間における確定値となり、垂直フロントポーチ長出力Ｖfp_out（図１０（Ｆ））として更新され、保持される。以上で、１垂直期間の計測が終了となる。
【００７４】
このような１垂直期間の計測が単位フレーム期間にわたって行われることで、この単位フレーム期間内の短時間において、計測領域６４Ａ，６４Ｂの下端から連続して存在するしきい値Ｖｔ未満の画素数の最小値に対応する垂直フロントポーチ長Ｖｆｐが、計測部２２から出力される。
【００７５】
なお、このような計測部２２による水平バックポーチ長Ｈｂｐ、水平フロントポーチ長Ｈｆｐ、垂直バックポーチ長Ｖｂｐおよび垂直フロントポーチ長Ｖｆｐの計測は、順次行うようにしてもよく、２以上の計測を並列して行うようにしてもよい。並列して行うようにした場合、水平バックポーチ長Ｈｂｐ、水平フロントポーチ長Ｈｆｐ、垂直バックポーチ長Ｖｂｐおよび垂直フロントポーチ長Ｖｆｐの計測を単位フレーム期間内に全て計測することができ、より高速な計測が可能となる。
【００７６】
次に、図１１〜図２３を参照して、本発明の特徴的部分の１つである、黒帯検出部２における黒帯検出処理について詳細に説明する。図１１は、この黒帯検出部２における黒帯検出処理を流れ図で表したものである。
【００７７】
この黒帯検出処理では、例えば図１２（Ａ）に示したように映像領域６２の上下に黒帯領域６１Ａ，６１Ｂがあると共にこれら黒帯領域６１Ａ，６１Ｂ内にＯＳＤ６３Ａや字幕６３Ｂが含まれているような場合には、入力映像信号６の水平バックポーチ長Ｈ１Ａおよび水平フロントポーチ長Ｈ１Ｂ、入力映像信号６の垂直バックポーチを含めたＯＳＤ６３Ａの最上端までの長さＶ０Ａおよび黒帯領域６１Ａの垂直幅Ｖ１Ａ、入力映像信号６の垂直フロントポーチを含めた字幕６３Ｂの最下端までの長さＶ０Ｂおよび黒帯領域６１Ｂの垂直幅Ｖ１Ｂ、ならびに映像領域６２の垂直幅Ｖ２などが検出される。
【００７８】
また、例えば図１２（Ｂ）に示したように映像領域６６の左右に黒帯領域６５Ａ，６５Ｂがあるような場合には、入力映像信号６の垂直バックポーチ長Ｖ１Ａおよび垂直フロントポーチ長Ｖ１Ｂ、入力映像信号６の水平バックポーチを含めた黒帯領域６５Ａの水平幅Ｈ１Ａ、入力映像信号６の水平フロントポーチを含めた黒帯領域６５Ｂの水平幅Ｈ１Ｂ、ならびに映像領域６２の水平幅Ｈ２などが検出される。
【００７９】
また、この黒帯検出処理では、例えば図１３（Ａ），（Ｂ）および図１４（Ａ），（Ｂ）中の計測領域６４Ａ（基準領域）、計測領域６４Ｂ１〜６４Ｂ３および矢印Ｐ２１，Ｐ２２，Ｐ３１，Ｐ３２，Ｐ４１，Ｐ４２，Ｐ５１，Ｐ５２にそれぞれ示したように、計測領域の増減幅６４Ｖ，６４Ｈが前回の増減幅の１／２に再設定されつつ、黒帯検出が行われるようになっている。つまり、この黒帯検出処理では、２分探索を用いた黒帯検出がなされ、これにより詳細は後述するが、高速に（増減幅の初期値が２ｎに設定された場合、遅くとも（ｎ＋１）個分の単位フレーム期間内に黒帯検出処理が完了し、図１２（Ａ），（Ｂ）に示したような各種パラメータが出力される。）検出することができるようになっている。
【００８０】
この黒帯検出処理では、最初に黒帯検出処理が行われる（ステップＳ１１）。
【００８１】
具体的には、図１５の流れ図に示したように、まず、しきい値設定部２３９が、信号レベルのしきい値Ｖｔを設定し、信号レベル比較部２２１へ出力する（図１５のステップＳ１１１）。次に、信号種別判別結果Ｓoutに基づいて、基準領域設定部２３１が基準領域を設定する（ステップＳ１１２）。次に、計測領域設定部２３８が、設定された基準領域を計測領域６４Ａに設定し、信号レベル比較部２２１へ出力する（ステップＳ１１３）。
【００８２】
そして次の単位フレームへ移行するまで待機すると（ステップＳ１１４）、黒帯判定部２３０は計測部２２から計測結果Ｍout（計測領域６４Ａ内の水平バックポーチ長Ｈｂｐ、水平フロントポーチ長Ｈｆｐ、垂直バックポーチ長Ｖｂｐおよび垂直フロントポーチ長Ｖｆｐの計測結果）を取得する（ステップＳ１１５）。ここで、黒帯判定部２３０が、この計測結果Ｍoutに基づいて計測領域６４Ａ内に黒帯領域が存在するか否かを判断し（ステップＳ１１６）、存在すると判断された場合には（ステップＳ１１６：Ｙ）、次の境界判定処理１（図１１のステップＳ１２）へと移行する。
【００８３】
一方、ステップＳ１１６において黒帯領域がないと判断された場合（ステップＳ１１６：Ｎ）、次に黒帯検出処理を終了するか否かが判断される（ステップＳ１１７）。終了すると判断された場合には（ステップＳ１１７：Ｙ）、黒帯検出処理が終了となる（図１１の「エンド」）。一方、終了せずに続行すると判断された場合には（ステップＳ１１７：Ｎ）、検出判定部２３７が、黒帯領域の検出回数を示す検出回数カウンタの値をリセットして０を設定する（ステップＳ１１８）と共に、基準領域６４Ａを検出結果Ｋoutとして画像処理部３へ出力する（ステップＳ１１９）。そして黒帯領域が存在すると判断されるか黒帯検出処理を終了すると判断されるまで、ステップＳ１１１〜Ｓ１１９の処理が繰り返される。
【００８４】
次いで、境界判定処理１が行われる（図１１のステップＳ１２）。具体的には、図１６および図１７の流れ図で示したような処理がなされる。
【００８５】
この境界判定処理１では、前述したような２分探索の手法を用いて、入力映像信号６内の上側の黒帯領域６１Ａまたは左側の黒帯領域６５Ａと映像領域６２または映像領域６６との境界位置が判定される。
【００８６】
具体的には、まず計測領域設定部２３８が最初の計測領域を設定し、信号レベル比較部２２１へ出力する（図１６のステップＳ１２１）。より具体的には、上側の黒帯領域６１Ａの境界位置を判定する場合には、水平方向の開始位置および終了位置、ならびに垂直方向の開始位置が、それぞれ基準領域６４Ａにおける水平方向の開始位置および終了位置、ならびに垂直方向の開始位置に設定される一方、垂直方向の終了位置は、基準領域６４Ａの垂直開始位置に増減幅初期値設定部２３２により設定された垂直方向の増減幅初期値が加算された位置が設定される。また、左側の黒帯領域６５Ａの境界位置を判定する場合には、垂直方向の開始位置および終了位置、ならびに水平方向の開始位置が、それぞれ基準領域６４Ａにおける垂直方向の開始位置および終了位置、ならびに水平方向の開始位置に設定される一方、水平方向の終了位置は、基準領域６４Ａの水平開始位置に増減幅初期値設定部２３２により設定された水平方向の増減幅初期値が加算された位置が設定される。なお、これら水平方向および垂直方向の増減初期値は、信号種別判別結果Ｓoutに基づいて設定され、この境界判定処理１では上側または左側の境界位置を判定することから、基準領域６４Ａの水平方向および垂直方向の幅の１／２以下に設定されることが望ましい。より短時間に黒帯領域の境界位置を判定できるからである。
【００８７】
次に、次の単位フレームへ移行するまで待機し（ステップＳ１２２）、黒帯判定部２３０が計測部２２から計測結果Ｍoutを取得する（ステップＳ１２３）。そして増減幅設定部２３３は、計測領域の増減幅を半減させる。すなわち、前回の計測領域の増減幅の１／２を、新たな増減幅として設定し直す。次に増減幅設定部２３３は、このようにして設定した新たな増減幅が１未満か否かを判断し（ステップＳ１２５）、１未満である場合には（ステップＳ１２５：Ｙ）、これ以上２分探索の手法を用いる必要がないと判断し、次の処理（図１７のステップＳ１２９）へと移行する。
【００８８】
一方、ステップＳ１２５において新たな増減幅が１未満ではないと判断された場合（ステップＳ１２５：Ｎ）、次に黒帯判定部２３０が、計測結果Ｍoutに基づいて計測領域６４Ｂ内に黒帯領域のみ（ブランキング領域６０を含む黒帯領域）が存在するのか否かを判断する（ステップＳ１２６）。そして計測領域設定部２３８は、この判断結果に応じて、ステップＳ１２４において増減幅設定部２３３により設定された新たな計測区間の増減幅を、前回の計測領域に対して加算または減算することにより、新たな計測領域を再設定する（ステップＳ１２７，Ｓ１２８）。
【００８９】
具体的には、例えば図１８（Ａ）に示したように計測領域６４Ｂ１内に黒帯領域以外の映像領域６２も存在する場合には（ステップＳ１２６：Ｎ）、図中の矢印Ｐ６１のように、前回の計測領域６４Ｂ１の終了位置から新たな増減幅分だけ減算することにより、新たな計測領域６４Ｂ２を再設定する（ステップＳ１２７）。一方、例えば例えば図１８（Ｂ）に示したように計測領域６４Ｂ３内に黒帯領域のみが存在する場合には（ステップＳ１２６：Ｙ）、図中の矢印Ｐ６２のように、前回の計測領域６４Ｂ３の終了位置から新たな増減幅分だけ加算することにより、新たな計測領域６４Ｂ４を再設定する（ステップＳ１２８）。そしてステップＳ１２７，１２８以降は、ステップＳ１２５において新たな増減幅が１未満である、すなわち黒帯領域と映像領域との境界位置が検出されていると判断される（ステップＳ１２５：Ｙ）まで、ステップＳ１２２〜ステップＳ１２７，Ｓ１２８の処理が繰り返される。なお、図１８では上側の黒帯領域６１Ａの境界位置判定の場合を示したが、左側の黒帯領域６５Ａの境界位置判定の場合も同様の処理がなされる。
【００９０】
次に、ステップＳ１２６と同様にして、黒帯判定部２３０が、計測結果Ｍoutに基づいて計測領域６４Ｂ内に黒帯領域のみが存在するのか否かを判断する（図１６のステップＳ１２９）。黒帯領域のみではないと判断された場合には（ステップＳ１２９：Ｙ）、ステップＳ１２７と同様にして、前回の計測領域の終了位置から新たな増減幅分だけ減算することにより、新たな計測領域を再設定する（ステップＳ１３０）。一方、黒帯領域のみであると判断された場合には（ステップＳ１２９：Ｎ）、ステップＳ１２８と同様にして、前回の計測領域の終了位置から新たな増減幅分だけ加算することにより、新たな計測領域を再設定する（ステップＳ１３１）。
【００９１】
次に、次の単位フレームへ移行するまで待機し（ステップＳ１３２）、黒帯判定部２３０が計測部２２から計測結果Ｍoutを取得する（ステップＳ１３３）。そして境界判定部２３４は、このときの黒帯領域の上側または左側の境界位置を算出し（ステップＳ１３４）、検出判定部２３７へ出力することにより、境界判定処理１が終了し、次の処理へと移行する。
【００９２】
次いで、境界判定処理２が行われる（図１１のステップＳ１４）。具体的には、図１９および図２０の流れ図で示したような処理がなされる。
【００９３】
この境界判定処理２では、上記した境界判定処理１と基本的に同様にして、入力映像信号６内の下側の黒帯領域６１Ｂまたは右側の黒帯領域６５Ｂと映像領域６２または映像領域６６との境界位置が判定される。
【００９４】
具体的には、まず計測領域設定部２３８が最初の計測領域を設定し、信号レベル比較部２２１へ出力する（図１９のステップＳ１４１）。より具体的には、下側の黒帯領域６１Ｂの境界位置を判定する場合には、水平方向の開始位置および終了位置、ならびに垂直方向の終了位置が、それぞれ基準領域６４Ａにおける水平方向の開始位置および終了位置、ならびに垂直方向の終了位置に設定される一方、垂直方向の開始位置は、基準領域６４Ａの垂直終了位置から増減幅初期値設定部２３２により設定された垂直方向の増減幅初期値が減算された位置が設定される。また、右側の黒帯領域６５Ｂの境界位置を判定する場合には、垂直方向の開始位置および終了位置、ならびに水平方向の終了位置が、それぞれ基準領域６４Ａにおける垂直方向の開始位置および終了位置、ならびに水平方向の終了位置に設定される一方、水平方向の開始位置は、基準領域６４Ａの水平終了位置から増減幅初期値設定部２３２により設定された水平方向の増減幅初期値が減算された位置が設定される。
【００９５】
次いで、それ以降のステップＳ１４２〜Ｓ１５３では、境界判定処理１のステップＳ１２２〜Ｓ１３３と基本的に同様の処理がなされる。ただし、ステップＳ１４７，Ｓ１５０では、例えば図２１（Ａ）中の矢印Ｐ７１のように、前回の計測領域６４Ｂ１の開始位置から新たな増減幅分または１だけ減算されることにより、新たな計測領域６４Ｂ２が再設定される（ステップＳ１４７，Ｓ１５０）。また、ステップＳ１４８，Ｓ１５１では、例えば図２１（Ｂ）中の矢印Ｐ７２のように、前回の計測領域６４Ｂ３の開始位置から新たな増減幅分または１だけ加算されることにより、新たな計測領域６４Ｂ４を再設定される（ステップＳ１４８，Ｓ１５１）。
【００９６】
そして境界判定部２３４は、図２０のステップＳ１５４において黒帯領域の下側または右側の境界位置を算出して検出判定部２３７へ出力することにより、境界判定処理２が終了し、次の処理へと移行する。なお、図２１では右側の黒帯領域６５Ｂの境界位置判定の場合を示したが、下側の黒帯領域６１Ｂの境界位置判定の場合も同様の処理がなされる。
【００９７】
次いで、黒帯検出判定処理が行われる（図１１のステップＳ１６）。具体的には、図２２および図２３の流れ図で示したような処理がなされる。
【００９８】
まず、検出判定部２３７は、境界判定部２３４によって境界判定処理１，２により求められた黒帯領域６１Ａ，６１Ｂまたは黒帯領域６５Ａ，６５Ｂの境界位置、および信号種別判別結果Ｓoutから得られる入力映像信号６の解像度に基づいて、映像領域６２の幅（垂直幅Ｖ２または水平幅Ｈ２）を算出する（図２２のステップＳ１６１）。次に、検出判定部２３７は、この映像領域６２の幅が下限値設定部２３６により設定された下限値以上であるか否かを判断する（ステップＳ１６２）。
【００９９】
下限値未満であると判断された場合（ステップＳ１６２：Ｎ）、映像信号６２が暗いシーン等であるためだと判断し、黒帯領域の誤検出を防ぐため、黒帯領域の検出回数カウンタの値をリセットして０にする（ステップＳ１６３）。そして黒帯検出判定処理が終了となり（「リターン」）、次の図１１におけるステップＳ１８において黒帯検出処理全体を終了する場合（ステップＳ１８：Ｙ）を除き、黒帯検出開始処理（ステップＳ１１）に戻って黒帯検出処理を最初からやり直すこととなる。
【０１００】
一方、下限値以上であると判断された場合（ステップＳ１６２：Ｙ）、次に検出判定部２３７は、（検出回数カウンタの値＝０）かつ（再検出回数設定部２３により設定された再検出回数≠０）という条件式を満たすか否かを判断する（ステップＳ１６４）。この条件式を満たすと判断された場合（ステップＳ１６４：Ｙ）、最初の黒帯検出であり前回の検出結果と比較することはできないので、そのまま検出した２つ（上下または左右）の黒帯領域の境界位置と映像領域６２の幅とを保持する（ステップＳ１６５）と共に、検出回数カウンタの値を１増加させることにより、黒帯検出判定処理が終了となり（「リターン」）、次の図１１におけるステップＳ１８において黒帯検出処理全体を終了する場合（ステップＳ１８：Ｙ）を除き、黒帯検出開始処理（ステップＳ１１）に戻って再度黒帯検出処理を行うこととなる。
【０１０１】
一方、ステップＳ１６４における条件式を満たさないと判断された場合（ステップＳ１６４：Ｎ）、次に検出判定部２３７は、再検出回数が０に設定されているか否かを判断する（図２３のステップＳ１６７）。再検出回数が０に設定されていると判断された場合（ステップＳ１６７：Ｙ）、黒帯検出が確定済みである場合（ステップＳ１７０：Ｙ）を除き、そのまま検出した２つ（上下または左右）の黒帯領域の境界位置と映像領域６２の幅とを黒帯検出結果Ｋoutとして画像処理部３へ出力し（ステップＳ１７２）、黒帯領域の検出回数カウンタの値をリセットして０にする（ステップＳ１６３）ことにより、黒帯検出判定処理が終了となり（「リターン」）、次の図１１におけるステップＳ１８において黒帯検出処理全体を終了する場合（ステップＳ１８：Ｙ）を除き、黒帯検出開始処理（ステップＳ１１）に戻って黒帯検出処理を再度行うこととなる。
【０１０２】
また、ステップＳ１７０において黒帯検出が確定済みであると判断された場合（ステップＳ１７０：Ｙ）、次に検出判定部２３７は、黒帯領域の幅が変化しているか否かを判断すると共に、変化している場合には２つの黒帯検出領域の幅のうちどちらか一方のみが大きく変化しているかどうかを判断する（ステップＳ１７１）。一方のみが大きく変化している場合（ステップＳ１７１：Ｙ）、映像信号６２が暗いシーン等であるためだと判断し、黒帯領域の誤検出を防ぐため、黒帯領域の検出回数カウンタの値をリセットして０にする（ステップＳ１６３）ことにより、黒帯検出結果Ｋoutを出力せずに黒帯検出判定処理が終了となる（「リターン」）。一方、一方のみが大きく変化しているわけではないと判断された場合（ステップＳ１７１：Ｎ）、ステップＳ１７２へと進み、黒帯検出結果Ｋoutを出力して（ステップＳ１７２）黒帯領域の検出回数カウンタの値を０にする（ステップＳ１６３）ことにより、黒帯検出判定処理が終了となる（「リターン」）。
【０１０３】
ステップＳ１６７において再検出回数が０以外の値（１以上の値）に設定されていると判断された場合（ステップＳ１６７：Ｎ）、黒帯領域の検出回数が１以上であることから、次に検出判定部２３７は、前回の検出時と今回の検出時との間で映像領域６２の幅が一致しているかどうかを判断する（ステップＳ１６８）。一致していない場合（ステップＳ１６８：Ｎ）には誤検出の可能性が高いため、そのような誤検出を防ぐため、黒帯領域の検出回数カウンタの値をリセットして０にする（ステップＳ１６３）ことにより、黒帯検出結果Ｋoutを出力せずに黒帯検出判定処理が終了となる（「リターン」）。一方、一致していると判断された場合（ステップＳ１６８：Ｙ）、次に検出判定部２３７は、検出回数カウンタの値が設定された再検出回数未満であるかどうかを判断する（ステップＳ１６９）。再検出回数未満であると判断された場合には（ステップＳ１６９：Ｙ）、そのまま検出した２つの黒帯領域の境界位置と映像領域６２の幅とを保持する（ステップＳ１６５）と共に、検出回数カウンタの値を１増加させることにより、黒帯検出判定処理が終了となり（「リターン」）、次の図１１におけるステップＳ１８において黒帯検出処理全体を終了する場合（ステップＳ１８：Ｙ）を除き、黒帯検出開始処理（ステップＳ１１）に戻って再度黒帯検出処理を行うこととなる。
【０１０４】
一方、ステップＳ１６９において再検出回数未満ではない（再検出回数と等しい）場合には（ステップＳ１６９：Ｎ）、ステップＳ１７０〜Ｓ１７２へと進み、前述のように黒帯検出結果Ｋoutを出力して黒帯検出判定処理を終了するかどうかを判断することとなる。
【０１０５】
以上のようにして黒帯検出判定処理が終了すると、ステップＳ１８において黒帯検出処理全体を終了するか否かが判断され、終了しない場合（ステップＳ１８：Ｎ）にはステップＳ１１〜Ｓ１６の処理を繰り返し、終了する場合には（ステップＳ１８：Ｙ）、黒帯検出侶離全体が終了する。
【０１０６】
次に、図２４〜図２８を参照して、本発明の特徴的部分の１つである、上述した黒帯検出処理を含む黒帯検出部２および画像処理部３における入力映像信号のアスペクト比調整処理について詳細に説明する。図２４は、このアスペクト調整処理を流れ図で表したものである。
【０１０７】
まず、黒帯検出部２内の信号種別判別部２２１が、入力映像信号６の種別を判別し（ステップＳ０）、判別結果Ｓoutを検出部２３および画像処理部３内の演算部３１へ出力する。
【０１０８】
次いで、黒帯検出部２が、この信号種別判別結果Ｓoutおよび入力映像信号の輝度信号Ｙinに基づいて、図１１（および図１２〜図２３）に示した一連の黒帯検出処理Ｓ１１〜Ｓ１８を行い（ステップＳ１）、黒帯検出結果Ｋoutを演算部３１へ出力する。
【０１０９】
ここで、この黒帯検出処理Ｓ１では、図１６，図１７，図１９および図２０で示した境界判定処理１，２中のステップＳ１２６，Ｓ１２９，Ｓ１４６，Ｓ１４９では、計測領域６４Ｂ内にブランキング領域６０を含む黒帯領域のみが存在するのか否かを判断する際に、例えば図２５（Ａ）〜（Ｃ）にそれぞれ示したようにして判断する。すなわち、例えばこの図のように映像領域６２の上側において黒帯領域６１Ａ（ブランキング領域６０を含む）のみが存在するか否かを判断する際には、水平バックポーチ長Ｈｂｐおよび水平フロントポーチ長Ｈｆｐの値も利用して判断する。
【０１１０】
具体的には、例えば図２５（Ａ）に示したように、水平バックポーチ長Ｈｂｐおよび水平フロントポーチ長Ｈｆｐがいずれも計測領域６４Ｂの水平方向の幅（この場合、基準領域６４Ａの水平方向の幅）と一致している場合には、この計測領域６４Ｂ内には映像領域６２や黒帯領域内の字幕などは存在せず、黒帯領域のみであると判断する。
【０１１１】
また、例えば図２５（Ｂ）に示したように、計測領域６４Ｂ内に映像領域６２が存在する場合には、測定結果による水平バックポーチ長Ｈｂｐおよび水平フロントポーチ長Ｈｆｐと、予め設定された水平バックポーチ長Ｈｂｐ０および水平フロントポーチ長Ｈｆｐ０とが一致するか否かによって映像領域６２が存在するか否かを判断する。具体的には、水平バックポーチ長Ｈｂｐと水平バックポーチ長Ｈｂｐ０、および水平フロントポーチ長Ｈｆｐと水平フロントポーチ長Ｈｆｐ０のうちの少なくとも一方が一致すれば、映像領域６２が存在すると判断する。なお、図２５（Ｂ）中に示したように、水平バックポーチ長Ｈｂｐ０は、入力映像信号の種別から決定される水平長Ｈｂｐ１と計測領域６４Ｂを設定する際に決定される水平長Ｈｂｐ２との差により決定され（Ｈｂｐ０＝Ｈｂｐ１−Ｈｂｐ２）、水平フロントポーチ長Ｈｆｐ０は、入力映像信号の種別から決定される水平長Ｈｆｐ１と計測領域６４Ｂを設定する際に決定される水平長Ｈｆｐ２との差により決定される（Ｈｆｐ０＝Ｈｆｐ１−Ｈｆｐ２）。
【０１１２】
さらに、例えば図２５（Ｃ）に示したように、計測領域６４Ｂ内には映像領域６２が存在しないが（黒帯領域６１Ａのみが存在する）、黒帯領域６１Ａ内に字幕６３Ｂが存在する場合には、測定結果による水平バックポーチ長Ｈｂｐおよび水平フロントポーチ長Ｈｆｐが、予め設定された水平バックポーチ長Ｈｂｐ０および水平フロントポーチ長Ｈｆｐ０と比べて大きいため、基本的にはまず映像領域６２が存在しないと判断する。字幕６３Ｂの領域を含めて映像領域が存在すると判断すると、後述するアスペクト比の調整の際に誤った調整がなされてしまうことになるからである。ただし、字幕６３が欠落しないようにするため、測定結果による水平バックポーチ長Ｈｂｐおよび水平フロントポーチ長Ｈｆｐに加え、測定結果による垂直バックポーチ長Ｖｂｐや垂直フロントポーチ長Ｖｆｐを用いて（図２５（Ｃ）の場合、垂直バックポーチ長Ｖｂｐを用いて）、字幕６３の位置を求めるようにする。なお、字幕６３Ｂは単位フレームによって表示されたりされなかったりするので、黒帯検出処理によって検出が確定するまでの間で垂直バックポーチ長Ｖｂｐや垂直フロントポーチ長Ｖｆｐが一番小さくなった値を、字幕６３Ｂの位置とするようになっている。
【０１１３】
このようにして、計測領域６４Ｂ内にブランキング領域６０を含む黒帯領域のみが存在するのか否かを判断する際に、水平バックポーチ長Ｈｂｐや水平フロントポーチ長Ｈｆｐの値も利用して判断しているので、映像領域６２の存在だけでなく、黒帯領域内の字幕６３Ｂの存在の有無も判断できるようになっている。
【０１１４】
図２４の説明に戻り、次いで画像処理部３内の演算部３１が、上述の黒帯検出部２による黒帯検出処理の結果（黒帯検出結果Ｋout）および信号種別判別部２１による入力映像信号の種別判別結果Ｓoutに基づいて、入力映像信号であるＹＵＶ信号（Ｙin，Ｕin，Ｖin）の拡大または縮小の比率を演算して求める処理（拡大縮小比率演算処理）を行う（ステップＳ２）。具体的には、図２６および図２７の流れ図で示したような処理がなされる。
【０１１５】
まず、演算部３１は黒帯検出結果Ｋout（および種別判別結果Ｓout）を取得すると（ステップＳ２０１）、これらの結果に基づいて入力映像信号（Ｙin，Ｕin，Ｖin）内に黒帯領域が存在するか否かを判断する（ステップＳ２０２）。具体的には、種別判別結果Ｓoutに基づく入力映像信号の水平バックポーチ長、水平フロントポーチ長、垂直バックポーチ長および垂直フロントポーチ長がそれぞれ、黒帯検出結果Ｋoutに基づく水平バックポーチ長Ｈ１Ａ、水平フロントポーチ長Ｈ１Ｂ、垂直バックポーチ長Ｖ１Ａおよび垂直フロントポーチ長Ｖ１Ｂと一致するか否かにより、黒帯領域が存在するか否かを判断する。例えば入力映像信号内に黒帯領域が存在しない場合には、例えば図２８に示したように、これらの値が一致することとなるからである。
【０１１６】
このようにしてステップＳ２０２において黒帯領域が存在しないと判断された場合には（ステップＳ２０２：Ｎ）、演算部３１は、信号種別結果Ｓoutに基づいて、映像領域の表示サイズに応じた水平方向および垂直方向の拡大縮小比率を演算する（ステップＳ２０４，Ｓ２０５）。そしてこの演算結果Ｃoutを拡大縮小部３２へ出力する（ステップＳ２０５）ことにより、拡大縮小比率演算処理が終了となる。
【０１１７】
一方、ステップＳ２０２において黒帯領域が存在すると判断された場合（ステップＳ２０２：Ｙ）、次に演算部３１は、現在の黒帯検出結果Ｋoutが前回の単位フレームにおける結果から変動があるか否か（水平バックポーチ長Ｈ１Ａ、水平フロントポーチ長Ｈ１Ｂ、垂直バックポーチ長Ｖ１Ａおよび垂直フロントポーチ長Ｖ１Ｂなどの値が変化しているか否か）を判断する（ステップＳ２０６）。前回の結果から変動がないと判断された場合には（ステップＳ２０６：Ｎ）、拡大縮小比率を変える必要はなく、そのまま維持すればよいことから、拡大縮小比率演算処理が終了となる。
【０１１８】
一方、ステップＳ２０６において、前回の結果から変動していると判断された場合には（ステップＳ２０６：Ｙ）、次に演算部３１は、黒帯検出結果Ｋoutに基づいて映像領域に変動があるか否か（例えば、図１２（Ａ），（Ｂ）で示した映像領域の幅Ｈ２，Ｖ２が変化しているか否か）を判断する（ステップＳ２０７）。映像領域に変動がないと判断された場合（ステップＳ２０７：Ｎ）、次に演算部３１は、黒帯検出結果Ｋoutに基づいて字幕領域が拡大しているか否かを判断する（ステップＳ２０９）。具体的には、前述の図１２（Ａ）に示したような、垂直バックポーチを含めたＯＳＤ６３Ａの最上端までの長さＶ０Ａや、入力映像信号６の垂直フロントポーチを含めた字幕６３Ｂの最下端までの長さＶ０Ｂが小さくなっているか否かを判断する。これらの値により字幕領域が縮小しているまたは変化していないと判断された場合には（ステップＳ２０９：Ｎ）、拡大縮小比率を変える必要はなく、そのまま維持すればよいことから、拡大縮小比率演算処理が終了となる。
【０１１９】
一方、ステップＳ２０７において映像領域に変動があると判断された場合（ステップＳ２０７：Ｙ）、およびステップＳ２０９において字幕領域が拡大していると判断された場合には（ステップＳ２０９：Ｙ）、次に演算部３１は、黒帯検出結果Ｋout（具体的には、映像領域の幅Ｈ２，Ｖ２など）に基づいて、入力映像信号（Ｙin，Ｕin，Ｖin）のうちの黒帯領域を除いた映像領域のアスペクト比を算出する（ステップＳ２０８）。そして演算部３１は、この算出したアスペクト比および黒帯検出結果Ｋoutに基づいて、入力映像信号（Ｙin，Ｕin，Ｖin）における映像領域のアスペクト比を保ちつつ、表示サイズに応じて字幕が欠落しないように、水平方向および垂直方向の拡大縮小比率を演算して求める（ステップＳ２１０，Ｓ２１１）。これにより、拡大縮小比率演算処理が終了となる。
【０１２０】
具体的には、例えば図２９（Ａ）に示したように、入力映像信号６中の黒帯領域６１Ａ，６１Ｂ内に字幕がないような場合には、視聴の際にこれら黒帯領域６１Ａ，６１Ｂが邪魔にならないように、入力映像信号６のアスペクト比を保ちつつ、映像領域６２のみが表示領域７となって表示部５の表示画面全体に表示されるように、入力映像信号６に対する拡大縮小（アスペクト比調整）がなされる。
【０１２１】
一方、例えば図２９（Ｂ）に示したように、黒帯領域６１Ａ，６１Ｂ内にそれぞれ字幕６３Ｂ１，６３Ｂ２があるような場合には、これら字幕６３Ｂ１，６３Ｂ２が欠落しないように、入力映像信号６のアスペクト比を保ちつつ拡大縮小がなされる。また、例えば図２９（Ｃ）に示したように、一対の黒帯領域のうちの一方（この場合、上下の黒帯領域６１Ａ，６１Ｂのうちの下側の黒帯領域６１Ｂ）のみに字幕（字幕６３Ｂ）があるような場合には、拡大縮小部３２によって字幕６３Ｂが欠落しないように拡大または縮小された映像信号に対し、位置調整部３３によって、他方の黒帯領域（この場合、上側の黒帯領域６１Ａ）が表示領域７に含まれないように、図中の矢印Ｐ１のように位置調整がなされる。
【０１２２】
なお、表示部５の表示画面の一部にサブウィンドウが設けられ、このサブウィンドウ内に映像信号を表示するような場合には、画像処理部３は、サブウィンドウ内の全面に入力映像信号が表示されるように、アスペクト比調整処理を行うようにすればよい。
【０１２３】
次いで、図２４に戻り、拡大縮小部３２は、演算部３１による演算結果Ｃout（拡大縮小比率）に基づいて、入力映像信号であるＹＵＶ信号（Ｙin，Ｕin，Ｖin）の拡大または縮小を行う（ステップＳ３）。次に、位置調整部３３が、この拡大縮小部３２によって黒帯領域内の字幕が欠落しないように拡大または縮小された映像信号に対し、例えば前述の図２９（Ｃ）に示したような位置調整を行う（ステップＳ４）。そして最後にアスペクト比の調整処理を終了するか否かが判断され（ステップＳ５）、まだ終了しないと判断された場合には（ステップＳ５：Ｎ）、ステップＳ０〜Ｓ４の処理を繰り返し、終了すると判断された場合には（ステップＳ５：Ｙ）、アスペクト比調整処理が終了となる。
【０１２４】
このようにして、黒帯検出部２による黒帯検出結果Ｋoutに基づいて、画像処理部３による画像処理（入力映像信号のアスペクト比調整処理）がなされる。
【０１２５】
以上のように、本実施の形態では、計測部２２が、入力映像信号６であるＹＵＶ信号（Ｙin，Ｕin，Ｖin）のうちの計測領域６４Ａ，６４Ｂについて、画素ごとにしきい値Ｖｔ未満の信号レベルか否かの計測を単位フレーム期間内に行うようにすると共に、検出部２３が、この計測結果に基づいて入力映像信号６に含まれる黒帯領域を検出するようにしたので、従来と比べ、入力映像信号に含まれる黒帯領域をより短時間に検出することが可能となる。
【０１２６】
また、計測部２２および検出部２３が、画素ごとになされるしきい値Ｖｔ未満の信号レベルか否かの計測結果から黒帯領域と映像領域との境界を検出すると共に、検出されたか否かに応じて前回の増減幅の２分の１のものを新たな増減幅として前回の計測領域に加減算して新たな計測領域を設定し、この新たな計測領域について逐次計測を行うと共にその計測結果に基づいて黒帯領域を検出するようにしたので、入力映像信号６に含まれる黒帯領域をさらに短時間に検出することが可能となる。
【０１２７】
また、検出部２３内の検出判定部２３７が、黒帯領域の幅が変化しているか否かを判断すると共に、変化している場合には２つの黒帯検出領域の幅のうちどちらか一方のみが大きく変化しているかどうかを判断するようにしたので、一方のみが大きく変化している場合には映像信号が暗いシーン等であるためだと判断することができ、黒帯領域の誤検出を防ぐことができる。よって、そのような誤検出を防ぎ、精度の高い黒帯検出を行うことが可能となる。
【０１２８】
また、上記のように精度の高い黒帯検出を短時間に行うことができるので、画像処理部３は、その黒帯検出結果Ｋoutを用いて最適な画像処理を短時間に行うことが可能となる。
【０１２９】
また、入力映像信号のうちの黒帯領域を除いた映像領域のアスペクト比を保ちつつ、入力映像信号の拡大または縮小をすることができる。よって、そのような拡大縮小処理がなされた映像信号を用いて映像表示を行うことにより、従来と比べ非常に見やすい映像を表示することが可能となる。
【０１３０】
また、黒帯領域内の字幕の有無も考慮して拡大縮小を行うようにしたので、字幕を欠落させることなく、黒帯領域を含む映像を表示させることが可能となる。
【０１３１】
また、位置調整部３３により、黒帯領域内の字幕の有無などに応じて、映像信号の表示位置を調整することができる。よって、よりみやすい映像を提供することが可能となる。
【０１３２】
さらに、黒帯検出部２による高速な黒帯検出結果Ｋoutを用いて画像処理を行っているので、入力映像信号の変化に追従して拡大縮小比率の再計算を行うことができ、リアルタイムにアスペクト比の調整を行うことが可能となる。
【０１３３】
以上、実施の形態を挙げて本発明を説明したが、本発明はこの実施の形態に限定されるものではなく、種々の変形が可能である。
【０１３４】
例えば、上記実施の形態では、映像領域の上下に黒帯領域が存在するシネマスコープ方式の映像信号や、映像領域の左右に黒帯領域が存在する再度パネル方式の映像信号における黒帯検出について説明したが、そのような黒帯検出を組み合わせて、映像領域の上下および左右の４方向について黒帯領域を検出するようにすることも可能である。
【０１３５】
また、上記実施の形態では、黒帯検出部２による黒帯検出結果Ｋoutを用いて画像処理部３が入力映像信号のアスペクト比調整処理を行う場合について説明したが、黒帯検出結果Ｋoutを用いた画像処理はこれには限られず、例えばコントラスト調整処理や輝度調整処理などに適用することも可能である。このような画像処理に適用した場合も、黒帯検出部２による短時間かつ高精度な黒帯検出により、最適な画像処理を短時間に行うことが可能となる。
【０１３６】
また、上記実施の形態では、ＹＵＶ信号が入力される場合の映像表示装置について説明したが、本発明は、例えばＰＣ入力の場合のように、ＲＧＢ信号が直接入力されるような映像表示装置などにも適用することが可能である。なお、そのようにＲＧＢ信号を直接入力する場合、マトリクス変換をする必要がなくなるので、マトリクス回路４１は不要となる。
【０１３７】
さらに、上記実施の形態では、映像表示装置の一具体例としてＴＶ装置を挙げて説明したが、本発明の映像表示装置は、この他にもＰＤＡ（Personal Digital Assistants）や携帯電話などにも適用することが可能である。
【図面の簡単な説明】
【０１３８】
【図１】本発明の一実施の形態に係る映像表示装置の全体構成を表すブロック図である。
【図２】図１に示した黒帯検出部の詳細構成を表すブロック図である。
【図３】黒帯領域を有する入力映像信号について説明するための模式図である。
【図４】計測部による計測処理について説明するための模式図である。
【図５】計測区間の増減幅について説明するための模式図である。
【図６】映像領域の幅の下限値について説明するための模式図である。
【図７】水平バックポーチ長の計測処理について説明するためのタイミング図である。
【図８】水平フロントポーチ長の計測処理について説明するためのタイミング図である。
【図９】垂直バックポーチ長の計測処理について説明するためのタイミング図である。
【図１０】垂直フロントポーチ長の計測処理について説明するためのタイミング図である。
【図１１】黒帯検出処理を表す流れ図である。
【図１２】黒帯検出処理について説明するための模式図である。
【図１３】垂直方向に係る黒帯領域の２分探索について説明するための模式図である。
【図１４】水平方向に係る黒帯領域の２分探索について説明するための模式図である。
【図１５】図１１における黒帯検出開始処理の詳細を表す流れ図である。
【図１６】図１１における境界判定処理１の詳細を表す流れ図である。
【図１７】図１６に続く境界判定処理１の詳細を表す流れ図である。
【図１８】境界判定処理１について説明するための模式図である。
【図１９】図１１における境界判定処理２の詳細を表す流れ図である。
【図２０】図１９に続く境界判定処理２の詳細を表す流れ図である。
【図２１】境界判定処理２について説明するための模式図である。
【図２２】図１１における黒帯検出判定処理の詳細を表す流れ図である。
【図２３】図２２に続く黒帯検出判定処理の詳細を表す流れ図である。
【図２４】入力映像信号のアスペクト比調整処理を表す流れ図である。
【図２５】計測領域内に黒帯のみが存在しているのか否かを判定する処理について説明するための模式図である。
【図２６】図２４における拡大縮小比率演算処理の詳細を表す流れ図である。
【図２７】図２６に続く拡大縮小比率演算処理の詳細を表す流れ図である。
【図２８】黒帯領域が存在しない場合の計測結果について説明するための模式図である。
【図２９】入力映像信号の拡大縮小処理について説明するための模式図である。
【符号の説明】
【０１３９】
１１…チューナ、１２…Ｙ／Ｃ分離回路、１３…クロマデコーダ、１４…スイッチ、２…黒検出部、２１…信号種別判定部、２２…計測部、２２１…信号レベル比較部、２２２…計測結果出力部、２３…検出部、２３０…黒帯判定部、２３１…基準領域設定部、２３２…増減幅初期値設定部、２３３…増減幅設定部、２３４…境界判定部、２３５…再検出回数設定部、２３６…下限値設定部、２３７…検出判定部、２３８…計測領域設定部、２３９…しきい値設定部、３…画像処理部、３１…演算部、３２…拡大縮小部、３３…位置調整部、４１…マトリクス回路、４２…トライバ、５…表示部、６…入力映像信号、６０…ブランキング領域、６１Ａ，６１Ｂ，６５Ａ，６５Ｂ…黒帯領域、６２，６６…映像領域、６２Ｖ，Ｈ２，Ｖ２…映像領域の幅、６３Ａ…ＯＳＤ、６３Ｂ，６３Ｂ１，６３Ｂ２…字幕、６４Ａ…計測領域（基準領域）、６４Ｂ，６４Ｂ１〜Ｂ４…計測領域、６４Ｈ，６４Ｖ…増減幅、６４Ｈ１，６４Ｈ２…水平方向計測区間、６４Ｖ１，６４Ｖ２…垂直方向計測区間、７…表示領域、Ｙ１，Ｙ２，Ｙin，Ｙout…輝度信号、Ｃ１…色信号、Ｕ１，Ｕ２，Ｕin，Ｕout，Ｖ１，Ｖ２，Ｖin，Ｖout…色差信号、Ｒout，Ｇout，Ｂout…ＲＧＢ信号、Ｓout…信号種別判別結果、Ｋout…黒帯検出結果、Ｃout…演算結果、Ｍout…計測結果、Ｖｔ…しきい値、Ｈｂｐ…水平バックポーチ長、Ｈｆｐ…水平フロントポーチ長、Ｖｂｐ…垂直バックポーチ長、Ｖｆｐ…垂直フロントポーチ長、Ｈｓｙｎｃ…水平同期信号、Ｖｓｙｎｃ…垂直同期信号、Ｃｌｏｃｋ…クロック信号、Ｈ_act…水平アクティブ信号、Ｖ_act…垂直アクティブ信号、Ｈbp_cnt…水平バックポーチ用カウンタ出力、Ｈfp_cnt…水平フロントポーチ用カウンタ出力、Ｖbp_cnt…垂直バックポーチ用カウンタ出力、Ｖfp_cnt…垂直フロントポーチ用カウンタ出力、Ｈbp_lat…水平バックポーチ用ラッチ出力、Ｈfp_lat…水平フロントポーチ用ラッチ出力、Ｖbp_lat…垂直バックポーチ用ラッチ出力、Ｖfp_lat…垂直フロントポーチ用ラッチ出力、Ｈbp_out…水平バックポーチ長出力、Ｈfp_out…水平フロントポーチ長出力、Ｖbp_out…垂直バックポーチ長出力、Ｖfp_out…垂直フロントポーチ長出力。
【図１】
2007329700.tif 000003
【図２】
2007329700.tif 000004
【図３】
2007329700.tif 000005
【図４】
2007329700.tif 000006
【図５】
2007329700.tif 000007
【図６】
2007329700.tif 000008
【図７】
2007329700.tif 000009
【図８】
2007329700.tif 000010
【図９】
2007329700.tif 000011
【図１０】
2007329700.tif 000012
【図１１】
2007329700.tif 000013
【図１２】
2007329700.tif 000014
【図１３】
2007329700.tif 000015
【図１４】
2007329700.tif 000016
【図１５】
2007329700.tif 000017
【図１６】
2007329700.tif 000018
【図１７】
2007329700.tif 000019
【図１８】
2007329700.tif 000020
【図１９】
2007329700.tif 000021
【図２０】
2007329700.tif 000022
【図２１】
2007329700.tif 000023
【図２２】
2007329700.tif 000024
【図２３】
2007329700.tif 000025
【図２４】
2007329700.tif 000026
【図２５】
2007329700.tif 000027
【図２６】
2007329700.tif 000028
【図２７】
2007329700.tif 000029
【図２８】
2007329700.tif 000030
【図２９】
2007329700.tif 000031